(57)【要約】【課題】たとえ、分散型電源の存在でバンク内の最高最低電圧値幅が大きい場合等にも、電圧値幅を有効に低減することが出来、配電品質の向上に寄与しうる配電系統の電圧管理方法を提供するものである。【解決手段】例えば、配電線Ａで規定範囲上限値からの電圧逸脱が判別されると、配電線Ａに連なる連系開閉器のいずれか、例えば、連系開閉器ＶＳ１を開から閉に反転、これに伴い、例えば、配電線Ｃの区分開閉器ＳＷＣ１を閉から開に反転させる系統切替パターンを抽出して電圧逸脱状態の改善を図る。【選択図】図５
2009065816.tif 000002
【特許請求の範囲】
【請求項１】
変電所から引き出された複数の配電線と、上記各配電線に接続された区分開閉器と、上記各配電線の相互間に接続された連系開閉器とを備え、上記配電線に接続された負荷に電力を供給する配電系統の上記各配電線の電圧を管理する方法であって、
上記各配電線上の管理対象点における電圧、電流を監視する監視手段を備え、
上記監視手段からの出力に基づき上記管理対象点の電圧が予め設定された所定の規定電圧範囲から逸脱しているか否かを判別し、上記電圧逸脱が判別されたとき、上記配電線の内上記電圧逸脱が判別された処理対象配電線に連なる上記連系開閉器のいずれかの開閉状態を上記電圧逸脱が判別された処理対象時点における開閉状態から反転させるとともに当該連系開閉器の開閉状態の反転に伴う必要性に応じて上記区分開閉器のいずれかの開閉状態を上記処理対象時点における開閉状態から反転させることにより上記処理対象配電線における上記電圧逸脱の状況を改善することを特徴とする配電系統の電圧管理方法。
【請求項２】
上記監視手段からの出力に基づき上記管理対象点の電圧が予め設定された所定の規定電圧範囲から逸脱しているか否かを判別する第１のステップ、この第１のステップで上記電圧逸脱が判別されたとき、上記配電線の内上記電圧逸脱が判別された処理対象配電線に連なる上記連系開閉器のいずれかの開閉状態を上記電圧逸脱が判別された処理対象時点における開閉状態から反転させるとともに当該連系開閉器の開閉状態の反転に伴う必要性に応じて上記区分開閉器のいずれかの開閉状態を上記処理対象時点における開閉状態から反転させることで得られる上記各連系開閉器および各区分開閉器の開閉状態を特定する系統切替パターンをすべて抽出する第２のステップ、この第２のステップで抽出された上記系統切替パターンについて系統運用上予め設定された切替制約条件を満たすか否かを判別する第３のステップ、この第３のステップで上記切替制約条件を満たすと判別された上記系統切替パターンから、当該系統切替パターンで特定される回路条件について上記処理対象時点における上記監視手段からの出力を適用して上記処理対象配電線上の上記管理対象点の電圧を算出しこれら算出電圧の上記規定電圧範囲からの電圧脱落改善評価を含む系統運用上予め設定された評価基準に基づき優先的に適用する最適系統切替パターンを抽出する第４のステップ、および上記第４のステップで抽出された上記最適系統切替パターンで特定される回路条件となるよう上記連系開閉器および上記区分開閉器のいずれかの開閉状態を上記処理対象時点の開閉状態から反転させる切替動作を実行させる第５のステップを備えたことを特徴とする請求項１記載の配電系統の電圧管理方法。
【請求項３】
上記第４のステップで抽出された上記最適系統切替パターンで特定される回路条件について上記処理対象時点における上記監視手段からの出力を適用して上記処理対象配電線以外の上記各配電線上の上記管理対象点の電圧を算出しこれら算出電圧が上記規定電圧範囲から逸脱しているか否かを判別する第６のステップを備え、この第６のステップで上記算出電圧の電圧逸脱が無いと判別されたときは上記第５のステップに進み、上記第６のステップで上記算出電圧の電圧逸脱が判別されたときは上記第２のステップに進むようにしたことを特徴とする請求項２記載の配電系統の電圧管理方法。
【請求項４】
上記第３のステップで上記切替制約条件を満たす系統切替パターンが存在しないと判別された場合であって、当該判別の根拠が再閉路リレー最大区間数超過の条件である場合、該当する上記区分開閉器の所定台数の順序投入時限を０秒に設定して上記再閉路リレー最大区間数超過の条件を緩和することにより、上記第３のステップで一旦上記切替制約条件を満たさないとした判別結果を変更するようにしたことを特徴とする請求項２または３に記載の配電系統の電圧管理方法。
【請求項５】
上記第５のステップで上記切替動作を実行させた後、当該切替動作実行後における上記監視手段からの出力を適用して上記切替動作実行前の回路条件による上記各配電線上の上記管理対象点の電圧を算出しこれら算出電圧が上記規定電圧範囲から逸脱しているか否かを判別する第７のステップ、およびこの第７のステップで上記算出電圧の電圧逸脱が無いと判別されたとき上記切替動作実行前の回路条件となるよう上記連系開閉器および上記区分開閉器のいずれかの開閉状態を上記切替動作実行後の開閉状態から反転させる切替動作を実行させる第８のステップを備えたことを特徴とする請求項２ないし４のいずれかに記載の配電系統の電圧管理方法。
【請求項６】
上記配電線に、分散型電源が接続されていることを特徴とする請求項１ないし５のいずれかに記載の配電系統の電圧管理方法。
【発明の詳細な説明】
【技術分野】
【０００１】
この発明は、変電所から引き出された複数の配電線を経て負荷に電力を供給する配電系統における各配電線の電圧を管理する方法に関する。
【背景技術】
【０００２】
変電所から引き出された複数の各配電線には区分開閉器が接続され、また、各配電線の相互間には連系開閉器が接続されている。そして、配電系統の電圧は、所定の規定電圧範囲（例えば、低圧換算で、１０１±６＝９５〜１０７Ｖの範囲）に収まるよう電圧の管理を行う必要がある。
このため、例えば、特許文献１では、取り込んだ配電系統の電気的情報を基にバンクの最適電圧値を算出し、バンクの送出電圧をこの最適電圧値に制御する送出電圧調整処理装置を開示する。
【０００３】
【特許文献１】特許第３２４９２７５号
【発明の開示】
【発明が解決しようとする課題】
【０００４】
昨今、太陽光発電や風力発電を利用した自家用発電設備が普及し、これら自家用発電設備は、配電系統上で分散型電源を構成することになる。そして、同一バンク内に重負荷が連なる配電線と分散型電源が連なる配電線とが存在すると、当該バンク内配電線の電圧最低値と電圧最高値との差が大きくなり、重負荷配電線では規定電圧範囲の下限値を逸脱し、同時に、分散型電源が連なる配電線では規定電圧範囲の上限値を逸脱するという不具合も発生する可能性がある。
しかるに、従来の電圧管理方法では、バンク毎にその送出電圧を調整する方式であるため、以上のように、バンク内の最高最低電圧値幅が大きい場合等には、有効な電圧管理対策となり得ないという問題があった。
【０００５】
この発明は、以上のような従来の問題点を解消するためになされたもので、たとえ、分散型電源の存在でバンク内の最高最低電圧値幅が大きい場合等にも、電圧値幅を有効に低減することが出来、配電品質の向上に寄与しうる配電系統の電圧管理方法を提供するものである。
【課題を解決するための手段】
【０００６】
この発明に係る配電系統の電圧管理方法は、変電所から引き出された複数の配電線と、各配電線に接続された区分開閉器と、各配電線の相互間に接続された連系開閉器とを備え、配電線に接続された負荷に電力を供給する配電系統の各配電線の電圧を管理する方法であって、
各配電線上の管理対象点における電圧、電流を監視する監視手段を備え、
監視手段からの出力に基づき管理対象点の電圧が予め設定された所定の規定電圧範囲から逸脱しているか否かを判別し、電圧逸脱が判別されたとき、配電線の内電圧逸脱が判別された処理対象配電線に連なる連系開閉器のいずれかの開閉状態を電圧逸脱が判別された処理対象時点における開閉状態から反転させるとともに当該連系開閉器の開閉状態の反転に伴う必要性に応じて区分開閉器のいずれかの開閉状態を処理対象時点における開閉状態から反転させることにより処理対象配電線における電圧逸脱の状況を改善するものである。
【発明の効果】
【０００７】
以上のように、この発明では、処理対象配電線に連なる連系開閉器のいずれかおよび区分開閉器のいずれかの開閉状態を反転するようにしたので、変電所から配電線を経て負荷に至る給電経路が変化し、電圧逸脱の状況を解消または改善することが可能となる。
【発明を実施するための最良の形態】
【０００８】
実施の形態１．
図１は、本願発明を適用する配電系統の一例を示す構成図である。図の例では、変電所ＳＳは、３つのバンク［１］〜［３］で構成され、各バンクでは、負荷時タップ切換変圧器ＴＲによりその送出電圧が調整される。バンク［１］からは、ＦＣＢを経て配電線Ａと配電線Ｂとが引き出されている。そして、配電線Ａ、Ｂのそれぞれには、所定の間隔で区分開閉器ＳＷが接続されており、図示は省略しているが、各区分開閉器ＳＷの間に各需要家の負荷や分散型電源が接続されている。また、バンク［２］からは配電線Ｃが、バンク［３］からは配電線Ｄがそれぞれ引き出されている。
更に、各配電線の相互間には、連系開閉器ＶＳが接続されている。例えば、連系開閉器ＶＳ１は、配電線Ａと配電線Ｃとの間に接続され、連系開閉器ＶＳ２は、配電線Ａと配電線Ｄとの間に接続されている。
【０００９】
そして、各開閉器の位置が配電線上の管理対象点となっており、各開閉器に内蔵されたセンサで検出された電圧、電流のデータが、各開閉器子局ＴＰから通信線Ｌを経て変電所子局ＳＰに集められ、更に中央装置ＣＰにより収集される。これらセンサを含む開閉器子局ＴＰ、通信線Ｌ、変電所子局ＳＰおよび中央装置ＣＰにより本願請求項１の監視手段を構成する。
以下で詳述する、配電系統の電圧管理方法に係る演算はこの中央装置ＣＰで実行し、その出力としての、各開閉器を開閉操作する信号は、中央装置ＣＰから変電所子局ＳＰを経て各開閉器子局ＴＰに送出される。
なお、各開閉器子局からのデータ収集方式としては、例えば、常時ポーリング方式を採用するのがよいが、開閉器子局の数によっては、開閉器子局では短い周期でデータを採取保存しておき、上位装置からのポーリング時に、保存しているデータを上位装置へ返送する方式を採用してもよい。
【００１０】
図２は、本願発明になる電圧管理方法の手順を示すフローチャートで、以下、各ステップの順に説明する。
ステップＳ１：配電系統の常時監視
各配電線に設置されている開閉器子局ＴＰから電圧計測値を中央装置ＣＰによりポーリング収集し、各配電線上の管理対象点における電圧の常時監視を行う。
【００１１】
ステップＳ２：連系点移動の要否判定
ステップＳ１で収集した監視情報を基に中央装置ＣＰにて連系点移動の要否判定を行う。ここで、連系点移動とは、この発明では、ステップＳ１で監視している電圧が、予め設定された所定の規定電圧範囲を逸脱したとき、その電圧逸脱の状況を改善するべく連系開閉器ＶＳおよび区分開閉器ＳＷのいずれかの開閉状態をそれまでの状態から反転させることを言い、従って、連系点移動の要否を判定するとは、監視電圧が規定電圧範囲を逸脱しているか否かを判定することと同意である。なお、このステップＳ２は、本願請求項２の第１のステップに相当する。
【００１２】
この規定電圧範囲としては、低圧換算で、例えば、１０１±６Ｖが基本とされる。しかし、変圧器＋低圧線＋引き込み線における最大電圧降下（５．５Ｖ）を考慮して、その下限側の設定レベルは、１０１−６＋５．５＝１００．５Ｖ（高圧換算値：１００．５×６６００／１０５＝６３１７Ｖ）とされる。
また、上限側の設定レベルは、高圧線＋変圧器における電圧降下（２．０Ｖ）を考慮して、１０１＋６＋２＝１０９Ｖ（高圧換算値：１０９×６６００／１０５＝６８５１Ｖ）とされる。
【００１３】
ステップＳ２で、判定が否のときはステップＳ１に戻り、電圧監視を継続する。判定が要のとき、即ち、監視電圧が規定範囲を逸脱したときは、ステップＳ３に進む。
【００１４】
ステップＳ３：系統切替パターンの抽出
ステップＳ２で連系点移動が必要と判定された配電線（以下、処理対象配電線と称す）の系統電圧を規定電圧範囲内にする、または、電圧逸脱量を低減するための系統切替パターンを抽出する。
ここで、系統切替パターンとは、対象とする配電系統上の各連系開閉器ＶＳおよび各区分開閉器ＳＷの開閉状態によって特定されるものである。そして、このステップＳ３では、実際には、処理対象配電線に連なる連系開閉器ＶＳのいずれかの開閉状態を電圧逸脱が判別された処理対象時点における開閉状態から反転させるとともに当該連系開閉器ＶＳの開閉状態の反転に伴う必要性に応じて区分開閉器ＳＷのいずれかの開閉状態を処理対象時点における開閉状態から反転させることで得られる各連系開閉器ＶＳおよび各区分開閉器ＳＷの開閉状態で特定される系統切替パターンをすべて抽出し、後述するステップＳ４で採用できない系統切替パターンを排除し、更に、ステップＳ４で残った系統切替パターンから後述するステップＳ６で最適な系統切替パターンを選定する。なお、このステップＳ３は、本願請求項２の第２のステップに相当する。
【００１５】
次に、ステップＳ３による系統切替パターンの抽出要領を簡単な回路例に基づき説明する。
先ず、図３は、先の図１でバンク［１］から引き出された配電線Ａに分散型電源が連系されており、この配電線Ａにおける分散型電源との連系点での電圧が規定範囲上限値を逸脱している状態を示している。
図４は、この場合の処理対象時点、即ち、電圧逸脱が判別された時点における配電線Ａ〜Ｄの回路構成および各開閉器の開閉状態を示す。そして、ここでは、図２のステップＳ２で電圧逸脱が判別された配電線、即ち、処理対象配電線は、バンク［１］から引き出され分散型電源Ｇが連なる配電線Ａである。
【００１６】
従って、系統切替パターンの抽出は、この配電線Ａに連なる連系開閉器、図４では、常開ＶＳ１、常開ＶＳ２、常開ＶＳ３の３台のいずれかを閉路させるパターンを抽出することになる。なお、ここでは、連系開閉器ＶＳをすべて常開ＶＳと表示している。これは、一般的な配電線系統運用においては、連系開閉器を開とした状態で各配電線が所定の規定電圧範囲内で運用できることを原則としているためである。これに対し、本願発明では、何らかの理由で、特定の連系開閉器を閉路した状態で、ステップＳ２の電圧逸脱が判別される場合も想定しており、従って、処理対象時点における連系開閉器を開路状態に限定していない。もっとも、説明上、特に支障の無い限り、以下では、一般的な運用に基づき常開ＶＳとの呼称も使用するものとする。
【００１７】
図５は、抽出する系統切替パターンの一例となる、各開閉器の開閉状態を特定したものである。即ち、処理対象配電線Ａと配電線Ｃとを接続する連系開閉器ＶＳ１の開閉状態を、処理対象時点における開閉状態（ここでは、開の状態）から反転、従って、閉の状態としている。そして、この連系開閉器ＶＳ１の開閉状態の反転に伴う必要性に応じて、図５に示すように、連系開閉器ＶＳ１に連なる、配電線Ｃ上の区分開閉器ＳＷＣ１の開閉状態を、処理対象時点における開閉状態（ここでは、閉の状態）から反転、従って、開の状態としている。
【００１８】
以上の連系開閉器ＶＳ１および区分開閉器ＳＷＣ１の開閉状態の反転の結果、処理対象時点（図４）には、配電線Ｃの末端に接続されていた需要家負荷の１個が配電線Ａに切り替えて接続されることになる。これにより、電圧の上限を逸脱している配電線Ａの負荷がその分増大して電圧降下が大きくなることが予想され、電圧逸脱を改善する系統切替パターンとして抽出する価値があるわけである。
【００１９】
図６も、抽出する系統切替パターンの一例である。ここでは、処理対象配電線Ａと配電線Ｄとを接続する連系開閉器ＶＳ２の開閉状態を、処理対象時点における開閉状態（ここでは、開の状態）から反転、従って、閉の状態としている。そして、この連系開閉器ＶＳ２の開閉状態の反転に伴う必要性に応じて、図６に示すように、連系開閉器ＶＳ２に連なる、配電線Ｄ上の区分開閉器ＳＷＤ１の開閉状態を、処理対象時点における開閉状態（ここでは、閉の状態）から反転、従って、開の状態としている。この場合、それまで配電線Ｄの末端に接続されていた需要家負荷の１個が配電線Ａに切り替えて接続されることになる。
【００２０】
図７も、抽出する系統切替パターンの一例である。ここでは、処理対象配電線Ａと配電線Ｂとを接続する連系開閉器ＶＳ３の開閉状態を、処理対象時点における開閉状態（ここでは、開の状態）から反転、従って、閉の状態としている。そして、この連系開閉器ＶＳ３の開閉状態の反転に伴う必要性に応じて、図７に示すように、連系開閉器ＶＳ３に連なる、配電線Ｂ上の区分開閉器ＳＷＢ１の開閉状態を、処理対象時点における開閉状態（ここでは、閉の状態）から反転、従って、開の状態としている。この場合、それまで配電線Ｂの末端に接続されていた需要家負荷の２個が配電線Ａに切り替えて接続されることになる。
【００２１】
この系統切替パターンでは、バンク［１］としての負荷電流には変化がないので、その送出電圧調整処理装置は動作しない。そして、配電線Ａでは負荷が増大して上限値からの電圧逸脱量が低減し、配電線Ｂでは負荷が減少して電圧が上昇する。
【００２２】
以上では、３つの系統切替パターンを説明したが、例えば、２台以上の連系開閉器の開閉状態を反転させることで特定される系統切替パターン等、想定しうる全ての系統切替パターンを抽出する。
なお、抽出された系統切替パターンによっては、バンクからの送出電流の変化量により、送出電圧調整処理装置が動作してバンクの送出電圧が変化し得るが、後段のステップＳ６における電圧改善評価では、これらバンク送出電圧の変動についても考慮する必要がある。
【００２３】
図８は、バンク［１］から引き出された配電線Ｂに重負荷が連系されておりその末端部での電圧が規定範囲下限値を逸脱している状態を示している。この場合、処理対象配電線Ｂの負荷の一部を他の配電線に移動することで電圧逸脱の改善を図るべく系統切替パターンの抽出を行うことになる。
【００２４】
図９は、電圧の下限値逸脱が判別された処理対象時点における配電線Ａ〜Ｄの回路構成および各開閉器の開閉状態を示す。
図１０は、抽出する系統切替パターンの一例で、処理対象配電線Ｂと配電線Ｄとを接続する連系開閉器ＶＳ４の開閉状態を、処理対象時点における開閉状態（ここでは、開の状態）から反転、従って、閉の状態としている。そして、この連系開閉器ＶＳ４の開閉状態の反転に伴う必要性に応じて、図１０に示すように、連系開閉器ＶＳ４に連なる、配電線Ｂ上の区分開閉器ＳＷＢ２の開閉状態を、処理対象時点における開閉状態（ここでは、閉の状態）から反転、従って、開の状態としている。
これによって、配電線Ｂの負荷の一部が配電線Ｄに移動し、配電線Ｂでの電圧逸脱が改善される可能性がある。
【００２５】
図１１も抽出する系統切替パターンの一例で、処理対象配電線Ｂと配電線Ａとを接続する連系開閉器ＶＳ３の開閉状態を、処理対象時点における開閉状態（ここでは、開の状態）から反転、従って、閉の状態としている。そして、この連系開閉器ＶＳ３の開閉状態の反転に伴う必要性に応じて、図１１に示すように、連系開閉器ＶＳ３に連なる、配電線Ｂ上の区分開閉器ＳＷＢ１の開閉状態を、処理対象時点における開閉状態（ここでは、閉の状態）から反転、従って、開の状態としている。
この場合、配電線Ｂの負荷の一部が、配電線Ａに移動し、配電線Ｂでの電圧逸脱が改善される。また、分散型電源が連なる配電線Ａの負荷が増大するので、配電線Ａにおける電圧上昇も低減する。更に、この切替では、バンク［１］の送出電流が変化しないので、バンク送出電圧は変化しない。
【００２６】
ステップＳ３で抽出された全ての系統切替パターンは、次に、ステップＳ４において、系統運用上予め設定された切替制約条件（制約項）を満たすか否かを判別する（本願請求項２の第３のステップに相当する）。
この制約項の具体的な内容は、対象の配電系統を管轄する電力会社の系統運用指針等により種々の内容となり、以下に、簡単に項目名を例示するのみに留めるものとする。
【００２７】
１：他配電線への分散型電源移動の禁止（分散型電源の管理を特別に行うためである）。２：切替後系統での過負荷状態の禁止（配電線や開閉器の電流を許容値内に管理するためである）。３：Ｂ種接地抵抗値違反の禁止（高低圧混触事故時の低圧機器破壊防止のためである）。４：作業中および作業計画有りの配電線の操作禁止（現場作業員の安全確保のためである）。５：ループ点過電流違反の禁止（ループ投入した場合の開閉器過電流通電を防止するためである）。６：再閉路リレー最大区間数超過違反の禁止（系統の再閉路の運用基準を遵守するためである）。
【００２８】
ステップＳ４で、先のステップＳ３により抽出された系統切替パターンの全てがその制約項の条件を満足しない場合は、本願発明による系統切替は中止せざるを得ず、基のステップＳ１に戻り、配電系統の常時監視の動作を続けることになる。
【００２９】
但し、ステップＳ４で出力すべき系統切替パターンが存在しないと判別された根拠となる制約項が、上述した「６：再閉路リレー最大区間数超過違反の禁止」の場合は、この制約条件を、例えば以下のように緩和することで、ステップＳ４での判別結果を変更し系統切替パターンの候補として後段のステップＳ６に出力する（ステップＳ５）。
即ち、再閉路リレー最大区間数は、該当する複数の区分開閉器の順序投入時限の総和が規定された再閉路時限を越えないように設定されているため、上記の条件の緩和は、例えば、全体の再閉路時限を踏襲する中で、該当する区分開閉器の内の所定台数の順序投入時限を０秒に設定する等の方法が採用される。
【００３０】
図２に戻り、以上のステップＳ４またはステップＳ５における判別で残った系統切替パターンは、次のステップＳ６において、目的項による最適切替パターンの選定が行われる（本願請求項２の第４のステップが相当する）。
ここで、目的項とは、最適の系統切替パターンを選定する際の評価基準であって、当然ながら、パターンを切り替えた場合の算出電圧の規定電圧範囲からの電圧逸脱改善度合いを評価する項目を含んでいる。
【００３１】
この最適系統切替パターンの選定基準は、先の制約項の設定の場合と同様、具体的な内容は、対象の配電系統を管轄する電力会社等の系統運用指針等により種々の内容となるが、ここではその一例を簡単に紹介する。
例えば、設定された各種目的項ｋｉとそれぞれの目的項に設定された重み付け係数αｉとで表現される適応度ｆを、下式により全ての対象系統切替パターンについて演算し、適応度ｆが最大のものを最適切替パターンとして選定する。
【００３２】
ｆ＝１／（α１・ｋ１＋α２・ｋ２＋α３・ｋ３＋α４・ｋ４＋α５・ｋ５＋α６・ｋ６＋α７）
【００３３】
上式で、ｋ１は、切替後の系統電圧改善を評価するもので、系統切替後の系統電圧が規定電圧範囲から逸脱していないかを判定するものである。逸脱している場合でも改善される場合は切替候補とするが「Ｗａｒｎｉｎｇ」の表示を出して注意を喚起するようにしてもよい。電圧改善度の最大を０、最小を１と正規化する。α１は、目的項ｋ１の重み付け係数である。
なお、既述した通り、切替でバンク送出電流が変わり送出電圧調整処理装置が動作してバンクの送出電圧が変化するときはその電圧変化分も考慮に入れて系統電圧改善を評価する。
ｋ２は、系統切替手順数を評価するもので、開閉器の切替累計回数を抑えるため、系統切替実行手順が少ないものから優先順位を高くする。このため、作成した系統切替手順数をカウントし、最小を０、最大を１と正規化する。α２は、目的項ｋ２の重み付け係数である。
【００３４】
ｋ３は、ループ切替先配電系統を評価するもので、ループ切替先配電線の系統種類により、同一バンク（高）→同一変電所（中）→同一上位系統（低）と順位付けする。このため、ループ切替先の配電線の上位系統を配電自動化システムのデータを使って追いかけ系統の種類を判定する。最大の評価のものを０、最小を１と正規化する。α３は、目的項ｋ３の重み付け係数である。
ｋ４は、開閉器の切替累計回数を評価するもので、機械的寿命と電気的寿命を考慮し、この切替累計回数が少ないものを優先して選定するようにする。切替累計回数最小のものを０、最大を１と正規化する。α４は、目的項ｋ４の重み付け係数である。
【００３５】
ｋ５は、切替系統の損失を評価するもので、系統切替後の潮流状態から損失値を算出し、系統損失値の最小のものを０、最大を１と正規化する。α５は、目的項ｋ５の重み付け係数である。
ｋ６は、切替系統の負荷バランスを評価するもので、系統切替後の同一バンク内配電線の過負荷に対する余裕を出来るだけ持たせるため負荷バランスの評価を行う。配電線許容電流値と負荷電流との差の２乗平均から求めた裕度が最大のものを０、最小を１と正規化する。α６は、目的項ｋ６の重み付け係数である。
α７は、ｋｉが全て０の場合のゼロ除算防止の係数である。
【００３６】
図２に戻り、次に、ステップＳ７で、以上のステップで電圧改善を行った配電線以外に系統電圧の規定範囲から逸脱した配電線が有るか無いかを判定し、有る場合は、新たな電圧逸脱を判定した配電線を処理対象配電線としてステップＳ３以降の処理を行う（本願請求項３の第６のステップが相当する）。
ステップＳ７で新たに電圧が逸脱する配電線が無かった場合は、ステップＳ８で、最適切替手順を実行する（本願請求項２の第５のステップが相当する）。即ち、中央装置ＣＰが、選定された最適系統切替パターンの手順に従って、既述したように、遠隔制御にて必要な各連系開閉器、区分開閉器である現場機器を操作し切替を実施する。
【００３７】
系統切替後、事故時の時限順送対応のため、中央装置ＣＰは、現場機器に対して標準運用状態、時限等を仮設定し（ステップＳ９）、仮標準登録をする（ステップＳ１０）。
更に、ステップＳ１１で、中央装置ＣＰは、配電系統を常時監視し、切替要因の排除判定を行い、排除が判定されると、ステップＳ１２で、切替前の系統状態に切り戻す（本願請求項５の第７および第８のステップが相当する）。
【００３８】
即ち、切替動作実行後における監視手段からの出力を適用して切替動作実行前の回路条件による各配電線上の電圧を算出しこれら算出電圧が規定電圧範囲から逸脱しているか否かを判別し、電圧逸脱が無いと判別されたときは切替動作実行前の回路条件となるよう連系開閉器および区分開閉器のいずれかの開閉状態を切替動作実行後の開閉状態から反転させる切替動作を実行させる。
従って、切替動作実行前の回路条件が、先の図４や図９で説明した、全ての連系開閉器が開状態である標準運用状態の回路条件である場合は、この切り戻しのステップを設けることにより、一連の電圧逸脱をもたらす要因が喪失すると、速やかに配電系統をその標準運用状態に復帰させることが出来る。
【産業上の利用可能性】
【００３９】
以上のように、本願発明に係る配電系統の電圧管理方法は、電圧逸脱が判別された配電線に連なる連系開閉器のいずれかおよび関連する区分開閉器のいずれかの開閉状態を反転することで電圧逸脱状態の改善を図るもので、その具体的な方法は、図２等で説明したものに限定されることなく、更に、必ずしも、分散型電源が連なる配電系統に限らず、各種の配電系統に広く適用でき、電圧改善の効果を奏するものである。
【図面の簡単な説明】
【００４０】
【図１】本願発明を適用する配電系統の一例を示す構成図である。
【図２】本願発明の実施の形態１における電圧管理方法の手順を示すフローチャートである。
【図３】分散型電源が連なる配電線Ａで、電圧が規定範囲上限値を逸脱している状態を概念的に示す図である。
【図４】図３で電圧逸脱が判別された時点における配電線Ａ〜Ｄの回路構成および各開閉器の開閉状態を示す図である。
【図５】図２のステップＳ３で抽出された系統切替パターンの一例を示す図である。
【図６】図２のステップＳ３で抽出された系統切替パターンの一例で、図５と異なるパターンを示す図である。
【図７】図２のステップＳ３で抽出された系統切替パターンの一例で、図５、６と異なるパターンを示す図である。
【図８】重負荷配電線Ｂで、電圧が規定範囲下限値を逸脱している状態を概念的に示す図である。
【図９】図８で電圧逸脱が判別された時点における配電線Ａ〜Ｄの回路構成および各開閉器の開閉状態を示す図である。
【図１０】図２のステップＳ３で抽出された系統切替パターンの一例を示す図である。
【図１１】図２のステップＳ３で抽出された系統切替パターンの一例で、図１０と異なるパターンを示す図である。
【符号の説明】
【００４１】
Ａ〜Ｄ  配電線、ＶＳ１〜ＶＳ４  連系開閉器、ＳＷ  区分開閉器、ＳＳ  変電所、
ＴＰ  開閉器子局、Ｌ  通信線、ＳＰ  変電所子局、ＣＰ  中央装置。
【図１】
2009065816.tif 000003
【図２】
2009065816.tif 000004
【図３】
2009065816.tif 000005
【図４】
2009065816.tif 000006
【図５】
2009065816.tif 000007
【図６】
2009065816.tif 000008
【図７】
2009065816.tif 000009
【図８】
2009065816.tif 000010
【図９】
2009065816.tif 000011
【図１０】
2009065816.tif 000012
【図１１】
2009065816.tif 000013